(57)【要約】【課題】  印刷目的とその印刷目的に対応した印刷属性設定の組み合わせをユーザに効率よく提供できる。【解決手段】  クライアントコンピュータ１０２、１０３のプリンタドライバにより登録されている属性設定ファイルの更新要求を受け付けて、あらかじめ登録されている印刷属性設定ファイル取得情報に基づき、更新可能な印刷属性設定ファイルまたは印刷目的情報を外部のＦＴＰサーバ１０６から選択的に自動取得して、該取得される更新可能な印刷属性設定ファイルと印刷目的情報とを更新登録し、該更新登録されている印刷目的情報に基づいて表示手段に印刷属性設定ファイルを選択するためのファイル情報を複数表示し、該複数のファイル情報中からいずれかのファイル情報を選択する構成を特徴とする。【選択図】  図１
2006154990.tif 000002
【特許請求の範囲】
【請求項１】
印刷装置に設定可能な任意の印刷属性の組み合わせを印刷属性設定ファイルとして、その名称である印刷目的情報と対応付けて記憶する記憶手段とを備え、プリンタドライバにより印刷装置が印刷可能な印刷情報を生成可能なデータ処理装置であって、
印刷属性設定ファイルの更新要求を受け付けて、更新可能な印刷属性設定ファイルおよび前記印刷目的情報をネットワークを介してファイル転送プロトコルを用いて取得して、該取得される更新可能な印刷属性設定ファイルおよび該取得される印刷目的情報を前記記憶手段に登録する登録手段と、
前記登録手段により前記記憶手段に登録されている印刷目的情報に基づいて表示手段に印刷属性設定ファイルを選択するためのファイル情報を複数表示可能な表示制御手段と、
前記表示制御手段により表示される複数のファイル情報中からいずれかのファイル情報を選択する選択手段と、
前記選択手段により選択されるいずれかのファイル情報に基づいて、前記記憶手段に記憶されている印刷属性設定ファイルを前記印刷情報に対する印刷設定に適用する適用手段と、
を有することを特徴とするデータ処理装置。
【請求項２】
前記印刷属性設定ファイル取得情報は、前記プリンタドライバがネットワークを介して通信可能なサーバ装置の所在を示す情報を含むことを特徴とする請求項１記載のデータ処理装置。
【請求項３】
前記表示制御手段は、印刷目的情報を文字列で表記する選択肢をコンボボックス形式またはアイコンと文字列で表記する選択肢をアイコンコンボボックス形式で表示可能とすることを特徴とする請求項１記載のデータ処理装置。
【請求項４】
前記登録手段は、あらかじめ登録されている印刷属性設定ファイル取得情報に基づき、更新可能な印刷属性設定ファイルおよび前記印刷目的情報を取得することを特徴とする請求項１記載のデータ処理装置。
【請求項５】
前記表示制御手段は、ユーザ登録される印刷目的情報と前記サーバ装置から取得される印刷目的情報とに基づくファイル情報の表示態様を異ならしめることを特徴とする請求項２記載のデータ処理装置。
【請求項６】
前記表示制御手段は、前記記憶手段に複数記憶される前記印刷装置に設定可能な任意の印刷属性の組み合わせに対応する各印刷目的情報の表示順序を変更可能とすることを特徴とする請求項１記載のデータ処理装置。
【請求項７】
前記表示制御手段は、各印刷目的情報中の文字列の表示順序を変更可能とすることを特徴とする請求項６記載のデータ処理装置。
【請求項８】
前記表示制御手段は、各印刷目的情報中の文字列とアイコンの組の表示順序を変更可能とすることを特徴とする請求項６記載のデータ処理装置。
【請求項９】
前記表示制御手段は、前記選択手段により選択される選択頻度に基づいて、各印刷目的情報中の文字列の表示順序または各印刷目的情報中の文字列とアイコンの組の表示順序を変更可能とすることを特徴とする請求項７または８記載のデータ処理装置。
【請求項１０】
印刷装置に設定可能な任意の印刷属性の組み合わせを印刷属性設定ファイルとして、その名称である印刷目的情報と対応付けて記憶する記憶手段とを備え、プリンタドライバにより印刷装置が印刷可能な印刷情報を生成可能なデータ処理装置における印刷設定方法であって、
印刷属性設定ファイルの更新要求を受け付けて、更新可能な印刷属性設定ファイルおよび前記印刷目的情報をネットワークを介してファイル転送プロトコルを用いて取得して、該取得される更新可能な印刷属性設定ファイルおよび該取得される印刷目的情報を前記記憶手段に登録する登録ステップと、
前記登録ステップにより前記記憶手段に登録されている印刷目的情報に基づいて表示手段に印刷属性設定ファイルを選択するためのファイル情報を複数表示可能な表示制御ステップと、
前記表示制御ステップにより表示される複数のファイル情報中からいずれかのファイル情報を選択する選択ステップと、
前記選択ステップにより選択されるいずれかのファイル情報に基づいて、前記記憶手段に記憶されている印刷属性設定ファイルを前記印刷情報に対する印刷設定に適用する適用ステップと、
を実行することを特徴とする印刷設定方法。
【請求項１１】
前記印刷属性設定ファイル取得情報は、前記プリンタドライバがネットワークを介して通信可能なサーバ装置の所在を示す情報を含むことを特徴とする請求項１０記載の印刷設定方法。
【請求項１２】
前記表示制御ステップは、印刷目的情報を文字列で表記する選択肢をコンボボックス形式またはアイコンと文字列で表記する選択肢をアイコンコンボボックス形式で表示可能とすることを特徴とする請求項１０記載の印刷設定方法。
【請求項１３】
前記登録ステップは、あらかじめ登録されている印刷属性設定ファイル取得情報に基づき、更新可能な印刷属性設定ファイルおよび前記印刷目的情報を取得することを特徴とすることを特徴とする請求項１０記載の印刷設定方法。
【請求項１４】
前記表示制御ステップは、ユーザ登録される印刷目的情報と前記サーバ装置から取得される印刷目的情報とに基づくファイル情報の表示態様を異ならしめることを特徴とする請求項１１記載の印刷設定方法。
【請求項１５】
前記表示制御ステップは、前記記憶手段に複数記憶される前記印刷装置に設定可能な任意の印刷属性の組み合わせに対応する各印刷目的情報の表示順序を変更可能とすることを特徴とする請求項１０記載の印刷設定方法。
【請求項１６】
前記表示制御ステップは、各印刷目的情報中の文字列の表示順序を変更可能とすることを特徴とする請求項１５記載の印刷設定方法。
【請求項１７】
前記表示制御ステップは、各印刷目的情報中の文字列とアイコンの組の表示順序を変更可能とすることを特徴とする請求項１５記載の印刷設定方法。
【請求項１８】
前記表示制御ステップは、前記選択ステップにより選択される選択頻度に基づいて、各印刷目的情報中の文字列の表示順序または各印刷目的情報中の文字列とアイコンの組の表示順序を変更可能とすることを特徴とする請求項１６または１７記載の印刷設定方法。
【請求項１９】
請求項１０〜１８のいずれかに記載の印刷設定方法を実行させるためのプログラムを格納したことを特徴とするコンピュータが読み取り可能な記憶媒体。
【請求項２０】
請求項１０〜１８のいずれかに記載の印刷設定方法を実行させることを特徴とするプログラム。
【発明の詳細な説明】
【技術分野】
【０００１】
本発明は、プリンタドライバにおける印刷目的の選択及び印刷目的に対応した印刷属性の設定方法に関するものである。
【背景技術】
【０００２】
従来、ユーザが印刷属性設定値の組み合わせを登録する方法として、下記特許文献１に提案されているような、印刷属性設定の組み合わせを予めプリンタドライバ側で保持しユーザが選択する方法、ユーザが印刷属性設定の組み合わせを登録する方法、または外部のファイルから印刷属性設定の組み合わせを読み込む方法などが提案されている。
【特許文献１】特開２０００−２２２１５９号公報
【発明の開示】
【発明が解決しようとする課題】
【０００３】
しかしながら、特許文献１の技術では、予めユーザが必要とする印刷設定を「お気に入り」に登録しておかなければならず、色味を具体的に決めたい場合にユーザは印刷設定（詳細設定）をどのように行えばよいのかわからないという問題がある。また、顧客サービスセンター等、例えば「モノクロ印刷の際に、黄色をきちんと出したいがどのような設定にしたらよいか」という問い合わせに対し、適切な印刷属性設定を後から提供したい場合、ユーザに印刷属性の設定方法を口頭あるいは文書などで通知するか、印刷属性設定の組み合わせをファイルとしてユーザに提供し、ユーザがそのファイルを読み込み、読み込んだ印刷属性設定の組み合わせを選択する手間が必要となるという問題がある。
【０００４】
また、リリース後にメーカが必要だと判断した印刷属性設定の組み合わせがあった場合、同様な手間が必要となる。
【０００５】
さらに、予め予測できる印刷属性設定の組み合わせをプリンタドライバに保持する方法も考えられるが、実際に使用されない印刷属性設定の組み合わせまで登録してしまったり、必要な印刷属性設定の組み合わせがなかったりするケースもありうるため、ユーザにとって使いづらいという問題もある。
【０００６】
本発明は、上記の課題を解決するためになされたもので、本発明の目的は、プリンタドライバにより登録されている属性設定ファイルの更新要求を受け付けて、あらかじめ登録されている印刷属性設定ファイル取得情報に基づき、更新可能な印刷属性設定ファイルまたは印刷目的情報を外部から選択的に自動取得して、該取得される更新可能な印刷属性設定ファイルと印刷目的情報とを更新登録し、該更新登録されている印刷目的情報に基づいて表示手段に印刷属性設定ファイルを選択するためのファイル情報を複数表示し、該複数のファイル情報中からいずれかのファイル情報を選択することに応じて、該選択されるいずれかのファイル情報に基づいて、選択されている印刷属性設定ファイルを印刷すべき印刷情報に対する印刷設定として適用することにより、取得すべき印刷属性設定や印刷目的情報を選択するための煩雑な操作を解消したり、プリンタドライバに既に登録済みの印刷属性設定や印刷目的情報を重複して取得してしまうような事態を回避したりして、印刷目的とその印刷目的に対応した印刷属性設定の組み合わせをユーザに効率よく提供して、既存のプリンタドライバの環境をアップデートできる利便性に優れたデータ処理装置および印刷設定方法およびコンピュータが読み取り可能なプログラムを格納した記憶媒体およびプログラムを提供することである。
【課題を解決するための手段】
【０００７】
上記目的を達成する本発明のデータ処理装置は以下に示す構成を備える。
【０００８】
印刷装置に設定可能な任意の印刷属性の組み合わせを印刷属性設定ファイルとして、その名称である印刷目的情報と対応付けて記憶する記憶手段とを備え、プリンタドライバにより印刷装置が印刷可能な印刷情報を生成可能なデータ処理装置であって、印刷属性設定ファイルの更新要求を受け付けて、更新可能な印刷属性設定ファイルおよび前記印刷目的情報をネットワークを介してファイル転送プロトコルを用いて取得して、該取得される更新可能な印刷属性設定ファイルおよび該取得される印刷目的情報を前記記憶手段に登録する登録手段と、前記登録手段により前記記憶手段に登録されている印刷目的情報に基づいて表示手段に印刷属性設定ファイルを選択するためのファイル情報を複数表示可能な表示制御手段と、前記表示制御手段により表示される複数のファイル情報中からいずれかのファイル情報を選択する選択手段と、前記選択手段により選択されるいずれかのファイル情報に基づいて、前記記憶手段に記憶されている印刷属性設定ファイルを前記印刷情報に対する印刷設定に適用する適用手段とを有することを特徴とする。
【０００９】
上記目的を達成する本発明の印刷設定方法は以下に示す構成を備える。
【００１０】
印刷装置に設定可能な任意の印刷属性の組み合わせを印刷属性設定ファイルとして、その名称である印刷目的情報と対応付けて記憶する記憶手段とを備え、プリンタドライバにより印刷装置が印刷可能な印刷情報を生成可能なデータ処理装置における印刷設定方法であって、印刷属性設定ファイルの更新要求を受け付けて、更新可能な印刷属性設定ファイルおよび前記印刷目的情報をネットワークを介してファイル転送プロトコルを用いて取得して、該取得される更新可能な印刷属性設定ファイルおよび該取得される印刷目的情報を前記記憶手段に登録する登録ステップと、前記登録ステップにより前記記憶手段に登録されている印刷目的情報に基づいて表示手段に印刷属性設定ファイルを選択するためのファイル情報を複数表示可能な表示制御ステップと、前記表示制御ステップにより表示される複数のファイル情報中からいずれかのファイル情報を選択する選択ステップと、前記選択ステップにより選択されるいずれかのファイル情報に基づいて、前記記憶手段に記憶されている印刷属性設定ファイルを前記印刷情報に対する印刷設定に適用する適用ステップとを実行することを特徴とする。
【発明の効果】
【００１１】
本発明によれば、取得すべき印刷属性設定や印刷目的情報を選択するための煩雑な操作を解消したり、プリンタドライバに既に登録済みの印刷属性設定や印刷目的情報を重複して取得してしまうような事態を回避したりして、印刷目的とその印刷目的に対応した印刷属性設定の組み合わせをユーザに効率よく提供して、既存のプリンタドライバの環境をアップデートできる。
【発明を実施するための最良の形態】
【００１２】
次に本発明を実施するための最良の形態について図面を参照して説明する。
【００１３】
＜システム構成の説明＞
本実施形態では、プリンタドライバはＬＡＮ（Ｌｏｃａｌ  Ａｒｅａ  Ｎｅｔｗｏｒｋ）に接続されているコンピュータにインストールされ、さらにそのＬＡＮはインターネットなどのＷＡＮ（Ｗｉｄｅ  Ａｒｅａ  Ｎｅｔｗｏｒｋ）に接続されているものとする。また、印刷目的および対応する印刷属性設定情報はＷＡＮに接続されたＦＴＰサーバの記憶装置内にあるものとする。
【００１４】
〔第１実施形態〕
図１は、本発明の第１実施形態を示すデータ処理装置を適用可能なデータ処理システムの構成を説明する図である。
【００１５】
図１において、１０２、１０３はクライアントコンピュータ（ホストコンピュータ）で、ＬＡＮ１０１に接続されたプリンタドライバがハードディスク等の外部記憶装置にインストールされている。なお、プリンタドライバは、複数インストールされている場合もあり、また、同プリンタドライバであっても、バージョンが異なるものも存在する。
【００１６】
１０４はネットワークプリンタで、ＬＡＮ１０１に接続され、クライアントコンピュータ１０２，１０３からの印刷要求を受け付けて処理可能に構成されている。１０５はインターネットなどのＷＡＮで、ＬＡＮ１０１が接続され、該ＬＡＮ１０１上のデバイス、クライアントコンピュータ１０２，１０３、ネットワークプリンタ１０４等がインターネットを介して情報通信可能に構成されている。
【００１７】
また、ＷＡＮ１０５には、ＦＴＰプロトコルで印刷目的および対応する印刷属性を提供するＦＴＰサーバ１０６が接続されている。
【００１８】
クライアントコンピュータ１０２，１０３のハードディスク等の外部記憶装置にインストールさているプリンタドライバは、ユーザの指示があったときにＬＡＮ１０１およびＷＡＮ１０５を通してＦＴＰプロトコルでＦＴＰサーバ１０６から印刷目的および対応する印刷属性設定情報を取得して、上記外部記憶装置に登録したりする機能と、プリンタドライバで設定可能な項目をクライアントコンピュータ１０２，１０３が備える表示装置にユーザインタフェースとして表示する機能を備える。
【００１９】
以下、この手順を詳細に説明する。なお、本実施形態では印刷目的および対応する印刷属性の配布をＦＴＰプロトコルおよびＦＴＰサーバで行っているが、バイナリ情報の配布ができればＦＴＰプロトコルに限らず他の方法でもよい。例えば、ＨＴＴＰプロトコルを用いて実現することも可能であり、インターネットやイントラネットなどのＴＣＰ／ＩＰネットワークでファイルを転送するときに使われるプロトコルであればよい。
【００２０】
図２は、本発明の第１実施形態を示す印刷制御装置を適用可能な印刷システムの構成を示すブロック図であり、図１と同一のものには同一の符号を付してある。
【００２１】
図１において、クライアントコンピュータ１０２，１０３は、ＣＰＵ１を備えている。ＣＰＵ１は、ＲＯＭ３のプログラム用ＲＯＭあるいは外部メモリ１１に記憶された文書処理プログラム等に基づいて、図形や、イメージ、文字、表（表計算等を含む）等が混在した文書処理を実行し、システムバス４に接続される各デバイスをＣＰＵ１が総括的に制御する。
【００２２】
また、このＲＯＭ３のプログラム用ＲＯＭあるいは外部メモリ１１には、ＣＰＵ１の制御プログラムであるオペレーティングシステムプログラム（以下ＯＳ）等が記憶され、ＲＯＭ３のフォント用ＲＯＭあるいは外部メモリ１１には、上記文書処理の際に使用するフォントデータ等が記憶され、ＲＯＭ３のデータ用ＲＯＭあるいは外部メモリ１１には、上記文書処理等を行う際に使用する各種データが記憶されている。
【００２３】
２はＲＡＭで、ＣＰＵ１の主メモリやワークエリア等として機能する。５はキーボードコントローラ（ＫＢＣ）で、キーボード９や不図示のポインティングデバイスからのキー入力を制御する。６はＣＲＴコントローラ（ＣＲＴＣ）で、ＣＲＴディスプレイ（ＣＲＴ）１０の表示を制御する。７はディスクコントローラ（ＤＫＣ）で、ブートプログラム、各種のアプリケーション、フォントデータ、ユーザファイル、編集ファイル、及びプリンタ制御コマンド生成プログラム（以下、プリンタドライバと記す）等を記憶する外部メモリ１１とのアクセスを制御する。外部メモリ１１は、ハードディスク（ＨＤ）やフレキシブルディスク（ＦＤ）等で構成される。
【００２４】
８はプリンタコントローラ（ＰＲＴＣ）で、ネットワーク１２を介してプリンタ１０４に接続されて、プリンタ１０４との通信制御処理を実行する。なお、ＣＰＵ１は、例えばＲＡＭ２上に設定された表示情報のアウトラインフォントへの展開（ラスタライズ）処理を実行し、ＣＲＴ１０上でのＷＹＳＩＷＹＧを可能としている。
【００２５】
また、ＣＰＵ１は、ＣＲＴ１０上に表示されるマウスカーソル等で指示されたコマンドに基づいて、登録された種々のウィンドウを開き、種々のデータ処理を実行する。これによって、ユーザは、印刷を実行する際、印刷の設定に関するウィンドウを開き、プリンタ１０４の設定や、印刷モードの選択を含むプリンタドライバに対する印刷処理方法の設定を行うことができる。
【００２６】
一方、プリンタ１０４は、プリンタＣＰＵ１２を備えている。プリンタＣＰＵ１２は、ＲＯＭ１３のプログラム用ＲＯＭに記憶された制御プログラム等あるいは外部メモリ１４に記憶された制御プログラム等に基づいて、システムバス１５に接続される印刷部（プリンタエンジン）１７に出力情報としての画像信号を出力する。また、このＲＯＭ１３のプログラムＲＯＭには、ＣＰＵ１２の制御プログラム等が記憶されている。ＲＯＭ１３のフォント用ＲＯＭには、上記出力情報を生成する際に使用するフォントデータ等が記憶され、ＲＯＭ１３のデータ用ＲＯＭには、ハードディスク等の外部メモリ１４を用いないプリンタ１０４の場合ではクライアントコンピュータ１０２，１０３上で利用される情報等が記憶されている。
【００２７】
ＣＰＵ１２は、入力部１８を介してクライアントコンピュータ１０２，１０３との通信処理が可能となっており、プリンタ１０４内の情報等をホストコンピュータ１０２，１０３に通知可能に構成されている。１９は前記ＣＰＵ１２の主メモリやワークエリア等として機能するＲＡＭで、図示しない増設ポートに接続されるオプションＲＡＭによりメモリ容量を拡張することができるように構成されている。
【００２８】
なお、ＲＡＭ１９は、出力情報展開領域や、環境データ格納領域、ＮＶＲＡＭ等に用いられる。前述したハードディスク（ＨＤ）や、ＩＣカード等の外部メモリ１４は、ディスクコントローラ（ＤＫＣ）２０によりアクセスを制御される。外部メモリ１４は、オプションとして接続され、フォントデータや、エミュレーションプログラム、フォームデータ等を記憶する。さらに、２２は操作パネルで、操作のためのスイッチ及びＬＥＤ表示器等が配されている。
【００２９】
また、前述した外部メモリ１４は、少なくとも１個以上備えられ、内蔵フォントに加えてオプションフォントカード、言語系の異なるプリンタ制御言語を解釈するプログラムを格納した外部メモリを複数接続できるように構成されていても良い。さらに、図示しない不揮発性であるＮＶＲＡＭを有し、操作パネル２２からのプリンタモード設定情報を記憶するようにしても良い。
【００３０】
図３は、図２に示したクライアントコンピュータ１０２，１０３における典型的な印刷処理に供するモジュール構成を説明する図であり、クライアントコンピュータ１０２，１０３には、プリンタ１０４がネットワーク２１経由で接続されている。
【００３１】
図３において、アプリケーション５１、グラフィックエンジン５２、プリンタドライバ５３、及びシステムスプーラ５４は、外部メモリ１１に保存されるファイルとして存在し、オペレーティングシステム（ＯＳ）やその他のモジュールによってＲＡＭ２にロードされ実行されるプログラムモジュールである。
【００３２】
また、アプリケーション５１及びプリンタドライバ５３は、ＦＤ、ＣＤ−ＲＯＭあるいは不図示のネットワークを経由して外部メモリ１１（ＨＤ）に追加することが可能となっている。
【００３３】
外部メモリ１１に保存されているアプリケーション５１は、ＲＡＭ２にロードされて実行されるが、このアプリケーション５１からプリンタ１０４で印刷を行う際には、同様にＲＡＭ２にロードされることで実行可能となっているグラフィックエンジン５２を利用して出力（描画）を行う。
【００３４】
グラフィックエンジン５２は、プリンタごとに用意されたプリンタドライバ５３を同様に外部メモリ１１からＲＡＭ２にロードし、アプリケーション５１の出力を、プリンタドライバ５３を用いてプリンタ１０４の制御コマンドに変換する。
【００３５】
変換されたプリンタ制御コマンドは、ＯＳによってＲＡＭ２にロードされたシステムスプーラ５４を経てネットワーク２１経由でプリンタ１０４へ出力される仕組みとなっている。
【００３６】
図４は、図２に示したＲＡＭ２のメモリマップを説明する図であり、例えば本実施形態における印刷プログラムを含む印刷関連モジュールがクライアントコンピュータ１０２，１０３上のＲＡＭ２にロードされ実行可能となった状態に対応する。
【００３７】
図４において、６１は印刷用のアプリケーション、６２は空きメモリ、６３は印刷関連データ、６４は印刷関連プログラム、６５はＯＳ、６６はＢＩＯＳであり、本実施形態における印刷制御プログラムは、印刷関連プログラム６４の一部として存在している。
【００３８】
図５〜図８は、図２に示したＣＲＴ１０に表示される印刷設定画面の構成を説明する図であり、ライアントコンピュータ１０２，１０３にインストールされているプリンタドライバ５３が提供するユーザインタフェース例である。
【００３９】
図５は印刷目的の表示領域を含む主要な設定を行うＭａｉｎシート、図６は丁合いやステープルなどの設定を行うＦｉｎｉｓｈｉｎｇシート、図７は給紙段の選択などを行うＰａｐｅｒ  Ｓｏｕｒｃｅシート、図８は印刷品質の設定を行うＱｕａｌｉｔｙシートである。次に、印刷目的について説明する。
【００４０】
図５において、２０２は印刷目的を表示する領域で、ここには予め登録されている印刷目的、ユーザが独自に登録した印刷目的、本発明である外部から取得した印刷目的がアイコン形式で表示される。
【００４１】
なお、本実施形態において、印刷目的とは、プリンタドライバ５３の印刷属性設定の組み合わせを登録するものであり、例えば“Ｓｔａｐｌｅ”という印刷目的２０３は、左上にステープルを施す印刷属性設定である。
【００４２】
ユーザは左上ステープルの設定を行いたいとき、この印刷目的がない場合、一度Ｆｉｎｉｓｈｉｎｇシート３０１をＣＲＴ１０上に表示させ、Ｓｔａｐｌｅを選択する必要があるが、この印刷目的があることにより、Ｆｉｎｉｓｈｉｎｇシート３０１を表示させることなく、Ｍａｉｎシート２０１のみでこの“Ｓｔａｐｌｅ”という印刷目的を領域２０２内からユーザの操作で選択することにより、左上ステープルの印刷属性設定が可能となる。
【００４３】
具体的な手順は、マウスなどで“Ｓｔａｐｌｅ”印刷目的２０３を選択し、その印刷属性設定の組み合わせを適用するために、Ａｐｐｌｙボタン２０６を押下する。
【００４４】
しかし、先行技術にみられるように、予め印刷目的を用意しておく場合や、印刷目的をファイルとして提供する場合、以下のような問題がある。
【００４５】
例えばメーカがプリンタドライバ５３を市場にリリースした後、ユーザから「プリンタドライバ５３のデフォルト設定で印刷すると、画像が綺麗に出力されないがどう設定したらよいか」などの問い合わせがあった場合、メーカは、口頭や文書でプリンタドライバ５２の印刷属性設定方法を通知するなどの方法でユーザに設定してもらう必要がある。
【００４６】
また、考えられ得る印刷目的を予めプリンタドライバ５３が参照可能な設定ファイルとして登録しておくことも可能ではあるが、実際には使用されない印刷目的を登録してしまったり、あるいは必要な印刷目的が登録されていないなどの問題が発生する可能性もある。
【００４７】
本実施形態は、ブリタンドライバ５３を市場にリリースした後でも、メーカが印刷目的設定をＦＴＰサーバ１０６などで提供し、ユーザはプリンタドライバ５３から自動的に印刷目的を取得し、プリンタドライバのユーザインタフェースで印刷目的の提供を容易にするものである。
【００４８】
本実施形態では、プリンタドライバ５３を市場にリリースした後、ユーザから写真やグラデーション画像を綺麗に出力するにはどうしたらよいかという問い合わせが多いため、印刷目的として“Ｓｕｉｔ  ｆｏｒ  Ｐｒｉｎｔｉｎｇ  Ｉｍａｇｅｓ”という名称の印刷目的を提供する例を説明する。
【００４９】
また、“Ｓｕｉｔ  ｆｏｒ  Ｐｒｉｎｔｉｎｇ  Ｉｍａｇｅｓ”という印刷目的の具体的な印刷属性の設定は、図８に示すＱｕａｌｉｔｙシート５０１にあるＨａｌｆｔｏｎｅ  Ｓｅｔｔｉｎｇｓ５０２で“Ｇｒａｄａｔｉｏｎ  Ｐｒｉｏｒｉｔｙ”を選択する設定とする。なお、図８の状態は設定前の状態であり、ラジオボタンが「Ｒｅｓｏｌｕｔｉｏｎ  ｐｒｉｏｒｉｔｙ」が選択状態である。
【００５０】
ユーザが印刷目的を外部（本実施形態では、図１に示すようにＦＴＰサーバ１０６を想定している）から取得したい場合、図５に示したＭａｉｎシート２０１にあるの“Ｕｐｄａｔｅ  Ｐｒｏｆｉｌｅ  Ｌｉｓｔ”というボタン２０５（取得指示手段）を押下する。このボタン２０５の押下によりプリンタドライバ５３は外部のＦＴＰサーバ１０６より印刷目的に対応する印刷属性設定情報（最適な設定となるようにセットされたファイル）をＴＣＰ／ＩＰネットワークのファイル転送プロトコルを用いて取得する。
【００５１】
図９は、本発明に係るデータ処理装置における第１のデータ処理手順の一例を示すフローチャートであり、ユーザがＵｐｄａｔｅ  Ｐｒｏｆｉｌｅ  Ｌｉｓｔを選択するボタン２０５を押下してからプリンタドライバ５３が印刷目的をＦＴＰサーバ１０６より取得し、プリンタドライバ５３に登録および印刷目的を表示する領域２０２に表示するまでの処理手順に対応する。なお、Ｓ６０１〜Ｓ６０３は各ステップを示す。また、各ステップは、図３に示したプリンタドライバ５３による処理であって、図２に示すＣＰＵ１がＲＡＭ２にプリンタドライバ５３をロードして実行することで実現される。
【００５２】
まず、ユーザは、ステップＳ６０１において、Ｍａｉｎシート２０１のＵｐｄａｔｅ  Ｐｒｏｆｉｌｅ  Ｌｉｓｔを示すボタン２０５を押下する。このボタン２０５の押下により、プリンタドライバ５３はＦＴＰサーバ１０６にアクセスし印刷目的を取得する。なお、ＦＴＰサーバ１０６にアクセスする方法は以下のようになっている。
【００５３】
図１０は、図１に示したＦＴＰサーバ１０６内のディレクトリ構成を示す図である。
【００５４】
図１０において、８０１はルートディレクトリである。なお、このＦＴＰサーバ１０６のＵＲＬ（Ｕｎｉｆｏｒｍ  Ｒｅｓｏｕｒｃｅ  Ｌｏｃａｔｉｏｎ）はｆｔｐ．ｐｒｉｎｔｅｒｐｒｏｆｉｌｅｓ．Ｃｘｘｘ．ｊｐであるとする。
【００５５】
ＦＴＰサーバ１０６での印刷目的の提供方法は、ルートディレクトリ８０１の下に、プリンタのモデル名称と一致するディレクトリ８０２、ディレクトリ８０２の下に拡張子が「ｃｆｇ」という印刷目的のファイル８０３，８０４、８０５が格納されている。
【００５６】
なお、ディレクトリ８０２の下に、さらにＩＣＯＮＳというディレクトリ８０７があり、このディレクトリ８０７の下に、拡張子が「ｂｍｐ」の印刷目的を表示するための領域２０２に表示する際のアイコンビットマップ８０８〜８１０が格納されている。
【００５７】
なお、印刷目的のファイルおよびアイコンビットマップ８０８〜８１０のファイルの拡張子はそれぞれ「ｃｆｇ」および「ｂｍｐ」としているが識別できればどのような文字列でも構わない。
【００５８】
本実施形態では、印刷目的ファイルとアイコンビットマップのディレクトリを固有にしファイルの種別が特定できるようにしているため拡張子は特に必要ないため、このようなケースでは拡張子はなくてもよい。次に、プリンタドライバ５３側はこのＦＴＰサーバ１０６にアクセスするためにアクセスの情報を保持する必要がある。
【００５９】
図１１は、図３に示したプリンタドライバ５３が保持するＦＴＰサーバ１０６の情報の一例を示す図であり、図１に示すような外部メモリ１１に記憶されているものとする。なお、ＦＴＰサーバ１０６の情報は、プリンタ購入時に提供されるドライバインストールメディアから登録していてもいいし、ユーザが直接のメーカのサポート用のホームページ等から取得して登録してもよい。
【００６０】
図１１において、９０１はプリンタモデル名で、例えばＸｘｘｘｘが設定されている。９０２はＦＴＰサーバ名で、例えばｆｔｐ．ｐｒｉｎｔｅｒｐｒｏｆｉｌｅｓ．Ｃｘｘｘ．ｊｐが登録されている。９０３はアイコンディレクトリ名で、例えばＣｘｘｘｘ＿ＹＹ１０５＿ＶＶ３／ＩＣＯＮＳが登録されている。
【００６１】
プリンタドライバ５３が、ＦＴＰサーバ１０６にアクセスする場合、ＦＴＰサーバ名９０２を使用してアクセスを行う。
【００６２】
また、印刷目的のファイルを取得する場合、ＦＴＰサーバ１０６のルートディレクトリの下のプリンタモデル名で格納されているので、ＦＴＰサーバ名９０２とプリンタモデル名９０１からｆｔｐ．ｐｒｉｎｔｅｒｐｒｏｆｉｌｅｓ．Ｃｘｘｘ．ｊｐ／Ｃｘｘｘｘ＿ＹＹ１０５＿ＶＶ３／をアクセスすることとなる。また、印刷目的に対応するアイコンビットマップを取得する場合には、アイコンディレクトリ名９０３から、ｆｔｐ．ｐｒｉｎｔｅｒｐｒｏｆｉｌｅｓ．Ｃｘｘｘ．ｊｐ／Ｃｘｘｘｘ＿ＹＹ１０５＿ＶＶ３／ＩＣＯＮＳ／をアクセスすることになる。
【００６３】
続いて、プリンタドライバ５３は、ステップＳ６０２において、ＦＴＰサーバ１０６へのアクセスを試みる。ＦＴＰサーバ１０６へのアクセスは、ＵＲＬはプリンタの外部メモリ１４に保持しているＦＴＰサーバ名９０２からｆｔｐ．ｐｒｉｎｔｅｒｐｒｏｆｉｌｅｓ．Ｃｘｘｘ．ｊｐであるためＦＴＰプロトコルのＯＰＥＮコマンドを使用してＦＴＰでアクセスを試みて、ＦＴＰサーバ１０６への接続に成功したか否かを判断し、ＦＴＰサーバ１０６への接続は不成功であったと判断した場合、処理を終了する。
【００６４】
一方、ステップＳ６０２において、ＦＴＰサーバ１０６への接続に成功したと判断した場合、ステップＳ６０３において、ＦＴＰサーバ１０６からの印刷目的のファイルを取得して、プリンタドライバ５３への登録、印刷目的を表示するための領域２０２への表示を行う。
【００６５】
ここで、ＦＴＰサーバ１０６への接続に失敗した場合、印刷目的のファイル取得はできないので、本処理を終了する。この際にＦＴＰサーバ１０６への接続が失敗したために印刷目的の取得ができなかった旨、メッセージを表示してもよい。
【００６６】
図１２は、本発明に係るデータ処理装置における第２のデータ処理手順の一例を示すフローチャートであり、図９に示したステップＳ６０３におけるＦＴＰサーバ１０６からの印刷目的のファイルの取得およびプリンタドライバ５３への登録処理、印刷目的の表示処理の詳細手順に対応する。
【００６７】
なお、Ｓ７０１〜Ｓ７０８は各ステップを示す。また、各ステップは、図３に示したプリンタドライバ５３による処理であって、図２に示すＣＰＵ１がＲＡＭ２にプリンタドライバ５３をロードして実行することで実現される。
【００６８】
図１３は、本発明に係るデータ処理装置における過去に取得したプロファイルのリストの一例を示す図である。
【００６９】
図１３において、１００１は過去に取得したプロファイルのリストであり、図２に示した外部メモリ１１に２つのリストが既に登録済みの状態を示す。
【００７０】
図９に示したステップＳ６０２において、プリンタドライ５３が図１に示したＦＴＰサーバ１０６への接続が成功した場合、まず、プリンタドライバ５３はステップＳ７０１において、ＦＴＰサーバ１０６から印刷目的のファイルリストを取得する。
【００７１】
具体的には、印刷目的のファイルが格納されている場所は、ｆｔｐ．ｐｒｉｎｔｅｒｐｒｏｆｉｌｅｓ．Ｃｘｘｘ．ｊｐ／Ｘｘｘｘｘ＿ＹＹ１０５＿ＶＶ３／であるため、ＦＴＰサーバ１０６のディレクトリのファイルリストをＦＴＰプロトコルにより取得する。このステップで取得できるファイルリストは、図１０に示した印刷目的のファイル８０３，８０４，８０５に対応する、「０００００００１．ｃｆｇ、０００００００２．ｃｆｇ，０００００００３．ｃｆｇ」となる。
【００７２】
次に、ステップＳ７０２において、取得したファイルリストから１つのファイルリストを取得する。ここでは、昇順に取得するものとし、印刷目的のファイル８０３である「０００００００１．ｃｆｇ」が取得される。そして、ステップＳ７０３において、ファイルリストのすべてのファイルを取得したか否かを確認するが、まだすべて取得していないため、ステップＳ７０４に進む。
【００７３】
そして、ステップＳ７０４では、プリンタドライバ５３が過去に取得した印刷目的ファイルであるか、図１０に示す既存のファイル情報と比較して確認する。
【００７４】
図１０は、図１に示したクライアントコンピュータ１０２，１０３のプリンタドライバ５３が保持している登録済み印刷目的ファイルのリストの一例を示す図であり、図２に示した外部メモリ１１に記憶される。
【００７５】
図１０に示すように、過去に取得した印刷目的ファイルは、リストから「０００００００１．ｃｆｇ」と「０００００００２．ｃｆｇ」は、プリンタドライバ５３が過去にＦＴＰサーバ１０６から既に取得したことを意味する。
【００７６】
このリストにより、「０００００００１．ｃｆｇ」は過去に取得したため、ステップＳ７０４のステップではＹｅｓに分岐し、ステップＳ７０２のステップに戻る。
【００７７】
そして、ステップＳ７０２において、取得したファイルリストから次のファイルを取得する。次のファイルは昇順で取得しているので０００００００２．ｃｆｇとなる。このファイルは「００００００１．ｃｆｇ」と同様の流れで過去に取得したことが判明するため、再びステップＳ７０２に戻る。
【００７８】
そして、ステップＳ７０２において、取得したファイルリストから次のファイルを取得する。昇順で取得しているため「０００００００３．ｃｆｇ」が取得される。
【００７９】
そして、ステップＳ７０４で、過去に取得したプロファイルのリスト（図１３に示すファイルリスト１００１）にないため、Ｎｏに進む。
【００８０】
続いて、ステップＳ７０５において、ＦＴＰのＧＥＴコマンドでファイルの実体を取得する。
【００８１】
具体的には、ディレクトリｆｔｐ．ｐｒｉｎｔｅｒｐｒｏｆｉｌｅｓ．Ｃｘｘｘ．ｊｐ／Ｘｘｘｘｘ＿ＹＹ１０５＿ＶＶ３／から「０００００００３．ｃｆｇ」を取得する。ここで、取得されるファイルの実体について説明する。
【００８２】
図１４は、本発明に係るデータ処理装置における印刷目的のファイルのフォーマットを示す図である。
【００８３】
図１４において、１１０１は先頭にバイト数情報があり、続いてバイト数分だけ印刷目的の文字列が格納される領域である。１１０２は先頭にバイト数情報があり、続いてバイト数分だけアイコンファイル名が格納される領域である。
【００８４】
１１０３は先頭にバイト数情報があり、続いてバイト数分だけツールチップヘルプ文字列が格納される領域である。１１０４は先頭にバイト数情報があり、続いてバイト数分だけ印刷属性が格納される領域である。
【００８５】
領域１１０１の印刷目的文字列は、印刷目的表示のための領域２０２に表示する際のアイコン下部に表示する文字列である。
【００８６】
領域１１０２のアイコンファイル名は、印刷目的表示のための領域２０２に表示する際のアイコンビットマップのファイル名である。領域１１０３のツールチップヘルプ文字列は、印刷目的表示のための領域２０２に表示されている印刷目的にマウスポインタなどを重ねた場合に表示されるヘルプ文字列である。
【００８７】
領域１１０４の印刷属性は、この印刷目的のプリンタドライバ印刷属性設定である。
【００８８】
この部分のフォーマットは、印刷属性が一意に特定できればどのような形式でもよいが、一般的には、プリンタドライバ５３が内部に保持する印刷属性設定と同じフォーマットが望ましい。
【００８９】
図１５は、図１に示したＦＴＰサーバ１０６から取得される印刷目的のファイルの実体を示す図である。
【００９０】
図１５において、ＦＴＰサーバ１０６から取得される印刷目的のファイル０００００００３．ｃｆｇを示したものであり、印刷目的文字列１２０１は“Ｓｕｉｔ  ｆｏｒ  Ｐｒｉｎｔｉｎｇ  Ｉｍａｇｅｓ”、アイコンビットマップファイル１２０２は「０００００００３．ｂｍｐ」、ツールチップヘルプ文字列１２０３は“Ｔｈｉｓ  ｓｅｌｅｃｔｉｏｎ  ｉｓ  ｓｕｉｔｅｄ  ｆｏｒ  ｉｍａｇｅｓ  ａｎｄ  ｇｒａｄａｔｉｏｎｓ”となっている。
【００９１】
また、印刷属性１２０４についてはプリンタドライバ５３が内部に保持する印刷属性と同じフォーマットであるが、本実施形態では特に規定していない。印刷属性１２０４では、Ｑｕａｌｉｔｙシート５０１のＨａｌｆｔｏｎｅ  Ｓｅｔｔｉｎｇｓ５０２の選択が“Ｇｒａｄａｔｉｏｎ  Ｐｒｉｏｒｉｔｙ”である設定となっている。
【００９２】
次に、ステップＳ７０６において、プリンタドライバ５３は、アイコンビットマップのファイル名を取得する。アイコンファイル名は、ステップＳ７０５のステップで取得した図１４に示すファイル実体の領域１１０２に格納されているので、このファイル名を元に取得を行う。本実施形態では、「０００００００３．ｂｍｐ」が抽出されることになる。
【００９３】
次に、ステップＳ７０７において、ＦＴＰサーバ１０６からアイコンファイルを取得する。ＦＴＰサーバ１０６、アイコンディレクトリは、図１１に示す情報から、ｆｔｐ．ｐｒｉｎｔｅｒｐｒｏｆｉｌｅｓ．Ｃｘｘｘ．ｊｐ／Ｘｘｘｘｘ＿ＹＹ１０５＿ＶＶ３／ＩＣＯＮＳ／であることがわかるため、このディレクトリから「０００００００３．ｂｍｐ」のファイルを取得する。
【００９４】
最後に、ステップＳ７０８において、ステップＳ７０５〜Ｓ７０７のステップで取得した情報をもとに、印刷目的表示のための領域２０２に表示を行い、ステップＳ７０２へ戻る。
【００９５】
図１６〜図１９は、本発明に係るデータ処理装置における印刷設定画面の更新状態を説明する図であり、図１に示したクライアントコンピュータ１０２，１０３のＣＲＴ１０に表示される画面例に対応する。
【００９６】
図１６において、１３０１はＱｕａｌｉｔｙシートであり、表示領域１３０２には、取得された設定情報がアイコンで表示される。１３０３は印刷目的アイコンで、図９および図１２に示した各ステップで取得された各情報を元に、印刷目的が追加されたものに対応する。印刷目的アイコン１３０３は、ＦＴＰサーバ１０６より取得される「０００００００３．ｂｍｐ」であり、アイコンの下部に表示されている文字列は、図１５に示した印刷目的文字列１２０１である“Ｓｕｉｔ  ｆｏｒ  Ｐｒｉｎｔｉｎｇ  Ｉｍａｇｅｓ”である。
【００９７】
図１６に示すように画面表示状態から、図１７に示すように、マウスポインタＰ１を“Ｓｕｉｔ  ｆｏｒ  Ｐｒｉｎｔｉｎｇ  Ｉｍａｇｅｓ”に対応するアイコン１４０２に合わせた時に、ツールチップ文字列１４０３として、「“Ｔｈｉｓ  ｓｅｌｅｃｔｉｏｎ  ｉｓ  ｓｕｉｔｅｄ  ｆｏｒ  ｐｒｉｎｔｉｎｇ  ｉｍａｇｅｓ  ａｎｄ  ｇｒａｄａｔｉｏｎｓ．”」がプリンタドライバ５３の制御により表示される。
【００９８】
次にこの印刷目的を適用する方法を説明する。
【００９９】
ユーザが図１７に示す印刷目的を適用したい場合、まず、図１８に示すように、“Ｓｕｉｔ  ｆｏｒ  Ｐｒｉｎｔｉｎｇ  Ｉａｍｇｅｓ”のアイコン１５０２をマウスでクリックするなどして選択状態とする。
【０１００】
そして、該選択状態のときに、Ａｐｐｌｙボタン１５０３をユーザの操作により押下することにより、この印刷目的の設定が適用される。
【０１０１】
図１９は“Ｓｕｉｔ  ｆｏｒ  Ｐｒｉｎｔｉｎｇ  Ｉｍａｇｅｓ”の印刷目的を適用した後のＱｕａｌｉｔｙシート１６０１の状態に対応し、“Ｓｕｉｔ  ｆｏｒ  Ｐｒｉｎｔｉｎｇ  Ｉｍａｇｅｓ”の印刷目的は、Ｑｕａｌｉｔｙシート１６０１のＨａｌｆｔｏｎｅ  Ｓｅｔｔｉｎｇｓ１６０２でＧｒａｄａｔｉｏｎ  Ｐｒｉｏｒｉｔｙを選択する設定であるため、Ｑｕａｌｉｔｙシート１６０１のＨａｌｆｔｏｎｅ  Ｓｅｔｔｉｎｇｓ１６０２において、Ｇｒａｄａｔｉｏｎ  Ｐｒｉｏｒｉｔｙが選択状態（ラジオボタンがオン状態）となっている。
【０１０２】
以上説明したように、プリンタドライバ５３を市場にリリースした後でも、必要な印刷目的を容易に配布することが可能となり、またユーザは難しい設定をすることなく、目的に合わせた印刷目的を選択することにより、プリンタドライバ５３の設定が完了するため、利便性が格段に向上する。
【０１０３】
上記実施形態によれば、プリンタドライバにおいて、印刷目的の文字列あるいはアイコンあるいはその両方を予め保持する印刷目的保持手段、印刷目的に対応するプリンタドライバの印刷属性の組み合わせを予め保持する印刷属性組み合わせを保持しておき、印刷目的の文字列あるいはアイコンあるいはその両方を外部から自動的に取得する印刷目的取得手段、印刷目的に対応するプリンタドライバの印刷属性の組み合わせを外部から自動的に取得し、ユーザが複数の印刷目的うちから１つを選択して、ユーザが選択した印刷目的に対応する印刷属性の組み合わせを適用することにより、メーカがプリンタドライバを市場にリリースした後でも、印刷目的とその印刷目的に対応した印刷属性設定の組み合わせをユーザに効率よく提供できるという効果がある。
【０１０４】
〔第２実施形態〕
以下、図２０に示すメモリマップを参照して本発明に係るデータ処理装置で読み取り可能なデータ処理プログラムの構成について説明する。
【０１０５】
図２０は、本発明に係るデータ処理装置で読み取り可能な各種データ処理プログラムを格納する記憶媒体のメモリマップを説明する図である。
【０１０６】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１０７】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１０８】
本実施形態における図９，図１２に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１０９】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１１０】
この場合、記憶媒体から読み出されたプログラムコード自体が本発明の新規な機能を実現することになり、そのプログラムコードを記憶した記憶媒体は本発明を構成することになる。
【０１１１】
従って、プログラムの機能を有していれば、オブジェクトコード、インタプリタにより実行されるプログラム、ＯＳに供給するスクリプトデータ等、プログラムの形態を問わない。
【０１１２】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１１３】
この場合、記憶媒体から読出されたプログラムコード自体が前述した実施形態の機能を実現することになり、そのプログラムコードを記憶した記憶媒体は本発明を構成することになる。
【０１１４】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１１５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１１６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１１７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１８】
本発明は上記実施形態に限定されるものではなく、本発明の趣旨に基づき種々の変形（各実施形態の有機的な組合せを含む）が可能であり、それらを本発明の範囲から排除するものではない。
【０１１９】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜２０について説明する。
【０１２０】
〔実施態様１〕
印刷装置に設定可能な任意の印刷属性の組み合わせを印刷属性設定ファイルとして、その名称である印刷目的情報と対応付けて記憶する記憶手段とを備え、プリンタドライバにより印刷装置が印刷可能な印刷情報を生成可能なデータ処理装置であって、印刷属性設定ファイルの更新要求を受け付けて、更新可能な印刷属性設定ファイルおよび前記印刷目的情報をネットワークを介してファイル転送プロトコルを用いて取得して、該取得される更新可能な印刷属性設定ファイルおよび該取得される印刷目的情報を前記記憶手段に登録する登録手段（図１２に示すステップＳ７０８）と、前記登録手段により前記記憶手段に登録されている印刷目的情報に基づいて表示手段に印刷属性設定ファイルを選択するためのファイル情報を複数表示可能な表示制御手段（図１２に示すステップＳ７０８）と、前記表示制御手段により表示される複数のファイル情報中からいずれかのファイル情報を選択する選択手段（例えば図１６に示す表示領域１３０２に表示されている印刷目的１３０２の選択する）と、前記選択手段により選択されるいずれかのファイル情報に基づいて、前記記憶手段に記憶されている印刷属性設定ファイルを前記印刷情報に対する印刷設定に適用する適用手段（例えば図１６に示すボタン１３０６による操作により適用指示がなされることに応じて、プリンタドライバ５３が印刷すべき印刷情報に設定する）とを有することを特徴とするデータ処理装置。
【０１２１】
これにより、取得すべき印刷属性設定や印刷目的情報の選択するための煩雑な操作を解消したり、プリンタドライバに既に登録済みの印刷属性設定や印刷目的情報を重複して取得してしまうような事態を回避したりして、印刷目的とその印刷目的に対応した印刷属性設定の組み合わせをユーザに効率よく提供して、既存のプリンタドライバの環境をアップデートできる。
【０１２２】
〔実施態様２〕
前記印刷属性設定ファイル取得情報は、前記プリンタドライバがネットワークを介して通信可能なサーバ装置の所在を示す情報を含むことを特徴とする実施態様１記載のデータ処理装置。
【０１２３】
これにより、更新すべき印刷属性設定や印刷目的情報の取得先を自動的に確定して、ユーザによる設定負担を軽減することができる。
【０１２４】
〔実施態様３〕
前記表示制御手段は、印刷目的情報を文字列で表記する選択肢をコンボボックス形式またはアイコンと文字列で表記する選択肢をアイコンコンボボックス形式で表示可能とすることを特徴とする実施態様１記載のデータ処理装置。
【０１２５】
これにより、印刷目的情報の選択操作性が向上し、誰でも容易な操作で意図する印刷目的情報を検索して、印刷すべき印刷情報に意図する印刷属性設定ファイルを適用させることができる。
【０１２６】
〔実施態様４〕
前記登録手段は、あらかじめ登録されている印刷属性設定ファイル取得情報に基づき、更新可能な印刷属性設定ファイルおよび前記印刷目的情報を取得することを特徴とする実施態様１記載のデータ処理装置。
【０１２７】
これにより、更新すべき印刷属性設定ファイルおよび前記印刷目的情報を選択するユーザ負担を軽減し、既に登録している印刷属性設定ファイルおよび前記印刷目的情報を重複して取得してしまう事態を回避し、ユーザによる利便性を向上させることができる。
【０１２８】
〔実施態様５〕
前記表示制御手段は、ユーザ登録される印刷目的情報と前記サーバ装置から取得される印刷目的情報とに基づくファイル情報の表示態様を異ならしめることを特徴とする実施態様２記載のデータ処理装置。
【０１２９】
これにより、標準設定されているような印刷属性設定ファイルと新規に取得して更新されている印刷属性設定ファイルとを容易に識別することができる。
【０１３０】
〔実施態様６〕
前記表示制御手段は、前記記憶手段に複数記憶される前記印刷装置に設定可能な任意の印刷属性の組み合わせに対応する各印刷目的情報の表示順序を変更可能とすることを特徴とする実施態様１記載のデータ処理装置。
【０１３１】
これにより、ユーザの印刷環境に適応した印刷目的情報の検索操作負担を軽減し、ユーザの利便性が向上する。
【０１３２】
〔実施態様７〕
前記表示制御手段は、各印刷目的情報中の文字列の表示順序を変更可能とすることを特徴とする実施態様６記載のデータ処理装置。
【０１３３】
これにより、ユーザの印刷環境に適応した印刷目的情報の検索操作負担を軽減し、ユーザの利便性が向上する。
【０１３４】
〔実施態様８〕
前記表示制御手段は、各印刷目的情報中の文字列とアイコンの組の表示順序を変更可能とすることを特徴とする実施態様６記載のデータ処理装置。
【０１３５】
これにより、ユーザの印刷環境に適応した印刷目的情報の検索操作負担を軽減し、ユーザの利便性が向上する。
【０１３６】
〔実施態様９〕
印刷装置に設定可能な任意の印刷属性の組み合わせを印刷属性設定ファイルとして、その名称である印刷目的情報と対応付けて記憶する記憶手段とを備え、プリンタドライバにより印刷装置が印刷可能な印刷情報を生成可能なデータ処理装前記表示制御手段は、前記選択手段により選択される選択頻度に基づいて、各印刷目的情報中の文字列の表示順序または各印刷目的情報中の文字列とアイコンの組の表示順序を変更可能とすることを特徴とする実施態様７または８記載のデータ処理装置。
【０１３７】
これにより、ユーザの印刷環境に適応した印刷目的情報の検索操作負担を軽減し、ユーザの利便性が向上する。
【０１３８】
〔実施態様１０〕
印刷装置に設定可能な任意の印刷属性の組み合わせを印刷属性設定ファイルとして、その名称である印刷目的情報と対応付けて記憶する記憶手段とを備え、プリンタドライバにより印刷装置が印刷可能な印刷情報を生成可能なデータ処理装置における印刷設定方法であって、印刷属性設定ファイルの更新要求を受け付けて、更新可能な印刷属性設定ファイルおよび前記印刷目的情報をネットワークを介してファイル転送プロトコルを用いて取得して、該取得される更新可能な印刷属性設定ファイルおよび該取得される印刷目的情報を前記記憶手段に登録する登録ステップ（図１２に示すステップＳ７０１〜Ｓ７０８）と、前記登録ステップにより前記記憶手段に登録されている印刷目的情報に基づいて表示手段に印刷属性設定ファイルを選択するためのファイル情報を複数表示可能な表示制御ステップ（図１２に示すステップＳ７０８）と、前記表示制御ステップにより表示される複数のファイル情報中からいずれかのファイル情報を選択する選択ステップと、前記選択ステップにより選択されるいずれかのファイル情報に基づいて、前記記憶手段に記憶されている印刷属性設定ファイルを前記印刷情報に対する印刷設定に適用する適用ステップ（図示しない）とを実行することを特徴とする印刷設定方法。
【０１３９】
これにより、第１実施態様と同等の効果を奏する。
【０１４０】
〔実施態様１１〕
前記印刷属性設定ファイル取得情報は、前記プリンタドライバがネットワークを介して通信可能なサーバ装置の所在を示す情報を含むことを特徴とする実施態様１０記載の印刷設定方法。
【０１４１】
これにより、第２実施態様と同等の効果を奏する。
【０１４２】
〔実施態様１２〕
前記表示制御ステップは、印刷目的情報を文字列で表記する選択肢をコンボボックス形式またはアイコンと文字列で表記する選択肢をアイコンコンボボックス形式で表示可能とすることを特徴とする実施態様１０記載の印刷設定方法。
【０１４３】
これにより、第３実施態様と同等の効果を奏する。
【０１４４】
〔実施態様１３〕
前記登録ステップは、あらかじめ登録されている印刷属性設定ファイル取得情報に基づき、更新可能な印刷属性設定ファイルおよび前記印刷目的情報を取得することを特徴とすることを特徴とする実施態様１０記載の印刷設定方法。
【０１４５】
これにより、第４実施態様と同等の効果を奏する。
【０１４６】
〔実施態様１４〕
前記表示制御ステップは、ユーザ登録される印刷目的情報と前記サーバ装置から取得される印刷目的情報とに基づくファイル情報の表示態様を異ならしめることを特徴とする実施態様１１記載の印刷設定方法。
【０１４７】
これにより、第５実施態様と同等の効果を奏する。
【０１４８】
〔実施態様１５〕
前記表示制御ステップは、前記記憶手段に複数記憶される前記印刷装置に設定可能な任意の印刷属性の組み合わせに対応する各印刷目的情報の表示順序を変更可能とすることを特徴とする実施態様１０記載の印刷設定方法。
【０１４９】
これにより、第６実施態様と同等の効果を奏する。
【０１５０】
〔実施態様１６〕
前記表示制御ステップは、各印刷目的情報中の文字列の表示順序を変更可能とすることを特徴とする実施態様１５記載の印刷設定方法。
【０１５１】
これにより、第７実施態様と同等の効果を奏する。
【０１５２】
〔実施態様１７〕
前記表示制御ステップは、各印刷目的情報中の文字列とアイコンの組の表示順序を変更可能とすることを特徴とする実施態様１５記載の印刷設定方法。
【０１５３】
これにより、第８実施態様と同等の効果を奏する。
【０１５４】
〔実施態様１８〕
前記表示制御ステップは、前記選択ステップにより選択される選択頻度に基づいて、各印刷目的情報中の文字列の表示順序または各印刷目的情報中の文字列とアイコンの組の表示順序を変更可能とすることを特徴とする実施態様１６または１７記載の印刷設定方法。
【０１５５】
これにより、第９実施態様と同等の効果を奏する。
【０１５６】
〔実施態様１９〕
実施態様１０〜１８のいずれかに記載の印刷設定方法を実行させるためのプログラムを格納したことを特徴とするコンピュータが読み取り可能な記憶媒体。
【０１５７】
これにより、第１０〜第１８実施態様と同等の効果を奏する。
【０１５８】
〔実施態様２０〕
実施態様１０〜１８のいずれかに記載の印刷設定方法を実行させることを特徴とするプログラム。
【０１５９】
これにより、第１０〜第１８実施態様と同等の効果を奏する。
【図面の簡単な説明】
【０１６０】
【図１】本発明の第１実施形態を示すデータ処理装置を適用可能なデータ処理システムの構成を説明する図である。
【図２】本発明の第１実施形態を示す印刷制御装置を適用可能な印刷システムの構成を示すブロック図である。
【図３】図２に示したクライアントコンピュータにおける典型的な印刷処理に供するモジュール構成を説明する図である。
【図４】図２に示したＲＡＭのメモリマップを説明する図である。
【図５】図２に示したＣＲＴに表示される印刷設定画面の構成を説明する図である。
【図６】図２に示したＣＲＴに表示される印刷設定画面の構成を説明する図である。
【図７】図２に示したＣＲＴに表示される印刷設定画面の構成を説明する図である。
【図８】図２に示したＣＲＴに表示される印刷設定画面の構成を説明する図である。
【図９】本発明に係るデータ処理装置における第１のデータ処理手順の一例を示すフローチャートである。
【図１０】図１に示したＦＴＰサーバ内のディレクトリ構成を示す図である。
【図１１】図３に示したプリンタドライバが保持するＦＴＰサーバの情報の一例を示す図である。
【図１２】本発明に係るデータ処理装置における第２のデータ処理手順の一例を示すフローチャートである。
【図１３】本発明に係るデータ処理装置における過去に取得したプロファイルのリストの一例を示す図である。
【図１４】本発明に係るデータ処理装置における印刷目的のファイルのフォーマットを示す図である。
【図１５】図１に示したＦＴＰサーバから取得される印刷目的のファイルの実体を示す図である。
【図１６】本発明に係るデータ処理装置における印刷設定画面の更新状態を説明する図である。
【図１７】本発明に係るデータ処理装置における印刷設定画面の更新状態を説明する図である。
【図１８】本発明に係るデータ処理装置における印刷設定画面の更新状態を説明する図である。
【図１９】本発明に係るデータ処理装置における印刷設定画面の更新状態を説明する図である。
【図２０】図本発明に係るデータ処理装置で読み取り可能な各種データ処理プログラムを格納する記憶媒体のメモリマップを説明する図である。
【符号の説明】
【０１６１】
１  ＣＰＵ
２  ＲＡＭ
３  ＲＯＭ
１１  外部メモリ
２１  操作パネル
５１  アプリケーション
５２  グラフィックエンジン
５３  プリンタドライバ
５４  システムスプーラ
６４  印刷関連プログラム
【図１】
2006154990.tif 000003
【図２】
2006154990.tif 000004
【図３】
2006154990.tif 000005
【図４】
2006154990.tif 000006
【図５】
2006154990.tif 000007
【図６】
2006154990.tif 000008
【図７】
2006154990.tif 000009
【図８】
2006154990.tif 000010
【図９】
2006154990.tif 000011
【図１０】
2006154990.tif 000012
【図１１】
2006154990.tif 000013
【図１２】
2006154990.tif 000014
【図１３】
2006154990.tif 000015
【図１４】
2006154990.tif 000016
【図１５】
2006154990.tif 000017
【図１６】
2006154990.tif 000018
【図１７】
2006154990.tif 000019
【図１８】
2006154990.tif 000020
【図１９】
2006154990.tif 000021
【図２０】
2006154990.tif 000022